(57)【要約】【課題】図柄表示装置あるいはそれを含むユニット部材の着脱動作を安全且つ安定的に遂行させることにより、遊技機における製造やメンテナンス等の作業効率を向上させるように構成した遊技機を提供する。【解決手段】パチンコ機に、図柄表示装置を収納する図柄表示ユニット７２と、該図柄表示ユニット７２を遊技盤３の背面、つまり取り付け台７６ａ，７６ｂに着脱自在に装着させるビス孔とを備えさせる。そして、該パチンコ機には、上記図柄表示ユニット７２が着脱される際に、該図柄表示ユニット７２と取り付け台７６ａ，７６ｂとを掛け止め状態に支持させる突起部７８と支持穴７４とを備えさせる。【選択図】図３
2007195797.tif 000002
【特許請求の範囲】
【請求項１】
遊技領域に遊技球を打ち出して遊技してなる遊技機において、
前記遊技に係る電気的処理を実行する実行ユニットと、
前記実行ユニットを前記遊技領域が形成される遊技盤の背面に着脱自在に装着する装着手段と、
前記装着手段による前記実行ユニットの着脱過程にて、該実行ユニットを前記遊技盤の背面に掛け止めされた状態に支持する掛け止め手段と、を備えてなる、
ことを特徴とする遊技機。
【請求項２】
前記装着手段は、ネジの止め外しによって前記実行ユニットと前記遊技盤とを着脱自在とし、前記掛け止め手段は、前記実行ユニットと前記遊技盤とを支持した際、両者を止め外しする前記ネジが螺合される孔を略々対向する位置に合わせてなる、
請求項１に記載の遊技機。
【請求項３】
前記掛け止め手段は、突起状の頭部と該頭部から細く垂設された足部とからなる雄部材と、前記頭部より広い上部貫通部と該上部貫通部の内周縁下部を切り欠いた下部貫通部とからなる雌部材とが、前記実行ユニットと前記遊技盤とに対となるように配設され、前記頭部を前記上部貫通部にくぐらせた状態から前記足部を前記下部貫通部に係合させることにより前記雄部材と前記雌部材とによる掛け止め状態を形成してなる、
請求項１又は２に記載の遊技機。
【請求項４】
前記実行ユニットは、前記遊技に係る演出表示を実行する図柄表示装置を収納してなる、
請求項１ないし３のいずれか１項に記載の遊技機。
【発明の詳細な説明】
【技術分野】
【０００１】
本発明は、パチンコ機等の遊技機に係り、詳しくは、液晶表示装置等の図柄表示装置が配されてなる遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、あるいは入球せずに遊技盤下部のアウト口に流入するように構成されたものが知られている（特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶表示盤等の図柄表示装置の画面上で所定の演出表示が行われる。大当たりの発生時には、アタッカーと呼ばれる大入賞口が開放し、入球に対応して多量の遊技球が払い出される状態となる。
【０００４】
上述したようなパチンコ機における液晶表示盤は、遊技盤に設けられた開口部から表示面が露出するように遊技盤の背面側に取り付けられるものが一般的となっている。より具体的には、液晶表示盤を液晶表示盤保護ケースに設けられた開口部の内周縁部に嵌め込み、この液晶表示盤保護ケースの四隅部近傍より突出する取付部を遊技盤の裏側にビス等によって取り付ける（特許文献２参照）ことによって、液晶表示盤を遊技盤の背面側に取り付けている。
【０００５】
【特許文献１】特開２００３−２３６２１０号公報
【特許文献２】特開２００１−１３７４９１号公報
【発明の開示】
【発明が解決しようとする課題】
【０００６】
しかし、上記特許文献２に記載されるような一般的なパチンコ機において、液晶表示盤（以下図柄表示装置という）の組み付けやメンテナンス等の作業を行う場合、その取り付けを行う際には、図柄表示装置あるいはそれを含むユニット部材を持ち上げ、ビス止めする孔を合わせて押さえた状態を維持しながらビスの螺合操作をしなくてはならなかった。また、図柄表示装置をパチンコ機から取り外す際には、図柄表示装置が作業中に滑落等しないように手で押さえた状態でビスを螺合操作しなくてはならなかった。
【０００７】
上記したように、図柄表示装置等を押さえつつその取り付けや取り外し等の作業を行うと、体勢に無理が生じ易く、作業時の動作が不安定となる。そして、この不安定な動作が継続されることによって図柄表示装置の着脱に要する作業時間が増加し、ひいては作業効率の低下をも招来することとなる。
【０００８】
また、パチンコ機に用いられる図柄表示装置は、近年、年を経るごとに体積が増加し、この増加によって図柄表示装置自体の重量が逓増する傾向にある。このように、図柄表示装置の重量が重くなればなるほど、前述したような作業動作は不安定で非効率的なものになると共に、怪我を伴うような危険な作業になる虞が生じる。
【０００９】
そこで本発明は、図柄表示装置あるいはそれを含むユニット部材の着脱動作を安全且つ安定的に遂行させることにより、遊技機における製造やメンテナンス等の作業効率を向上させるように構成し、もって上述した課題を解決した遊技機を提供することを目的とするものである。
【課題を解決するための手段】
【００１０】
請求項１に係る本発明は（例えば図１ないし図７参照）、遊技領域（３ａ）に遊技球（Ｂａ）を打ち出して遊技してなる遊技機（１）において、
前記遊技に係る電気的処理を実行する実行ユニット（３８，４０，４１，４３，４６，５１，５３，７２）と、
前記実行ユニット（例えば７２）を前記遊技領域（３ａ）が形成される遊技盤（３）の背面に着脱自在に装着する装着手段（７５，７６ａ，７６ｂ，７７）と、
前記装着手段（７５，７７）による前記実行ユニット（例えば７２）の着脱過程にて、該実行ユニット（７２）を前記遊技盤（３）の背面に掛け止めされた状態に支持する掛け止め手段（７４，７８）と、を備えてなる、
ことを特徴とする遊技機（１）にある。
【００１１】
請求項２に係る本発明は（例えば図２，３、及び図７参照）、前記装着手段（７５，７６ａ，７６ｂ，７７）が、ネジの止め外しによって前記実行ユニット（例えば７２）と前記遊技盤（３）とを着脱自在とし、前記掛け止め手段（７４，７８）が、前記実行ユニット（例えば７２）と前記遊技盤（３）とを支持した際、両者を止め外しする前記ネジが螺合される孔（７５，７７）を略々対向する位置に合わせてなる、
請求項１に記載の遊技機（１）にある。
【００１２】
請求項３に係る本発明は（例えば図２，３、及び図７参照）、前記掛け止め手段（７４，７８）が、突起状の頭部（７９）と該頭部（７９）から細く垂設された足部（８０）とからなる雄部材（７８）と、前記頭部（７９）より広い上部貫通部（８１）と該上部貫通部（８１）の内周縁下部を切り欠いた下部貫通部（８２）とからなる雌部材（７４）とが、前記実行ユニット（例えば７２）と前記遊技盤（３）とに対となるように配設され、前記頭部（７９）を前記上部貫通部（８１）にくぐらせた状態から前記足部（８０）を前記下部貫通部（８２）に係合させることにより前記雄部材（７８）と前記雌部材（７４）とによる掛け止め状態を形成してなる、
請求項１又は２に記載の遊技機（１）にある。
【００１３】
請求項４に係る本発明は（例えば図２，３、及び図７参照）、前記実行ユニット（７２）は、前記遊技に係る演出表示を実行する図柄表示装置（３５）を収納してなる、
請求項１ないし３のいずれか１項に記載の遊技機（１）にある。
【００１４】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１５】
請求項１に係る本発明によると、遊技機が、電気的処理を実行する実行ユニットと、該実行ユニットを遊技盤の背面に着脱自在に装着する装着手段と、該装着手段による着脱過程にて、実行ユニットを遊技盤の背面に掛け止めされた状態に支持する掛け止め手段と、を備えてなるので、払い出し制御基板等を収納した実行ユニットが着脱される際、該実行ユニットは一時的に遊技盤の背面に掛け止めされた状態に支持される。したがって、作業者は、このような実行ユニットを意識的に支持しながら作業を行う必要がなくなり、余裕のある安定した体勢にて着脱作業を行うことができることによって、実行ユニットの着脱に要する作業時間の短縮化や、作業の効率化を図ることができる。
【００１６】
また、上記したような掛け止め手段を備えることにより、技術の進歩や規格の変更等によって実行ユニット内に収納する各種装置の大きさや重量が増した際にあっても、着脱作業を安定した効率のよい動作で行うことができるものとすることができる。これにより、各種装置の大型化に起因して生じがちとなる、実行ユニットの着脱作業時における滑落等の危険を回避させることができる。
【００１７】
請求項２に係る本発明によると、装着手段が、ネジの止め外しによって実行ユニットと遊技盤とを着脱自在とし、掛け止め手段が、実行ユニットと遊技盤とを支持した際、両者を止め外しするネジが螺合される孔を略々対向する位置に合わせてなる。これにより、作業者は、実行ユニットの着脱に際して、実行ユニットを意識的に支持しながら作業する必要がなくなるだけでなく、装着時における実行ユニットと遊技盤との位置合せを行う必要がなくなる。また、遊技盤からの実行ユニットの取り外し時にあっては、該実行ユニットは、ネジが外された位置と略々同じ位置で掛け止めされた状態に支持されるので、遊技盤から外された直後に落下したりあるいは落下しそうになったりするような危険な状態となることを抑制させることができる。これにより、作業者は、実行ユニットの着脱を一層安定した状態にて行うことができるようになり、着脱作業を安全かつ効率的に進めることができるものとなる。
【００１８】
請求項３に係る本発明によると、掛け止め手段が、突起状の頭部と該頭部から細く垂設された足部とからなる雄部材と、頭部より広い上部貫通部と該上部貫通部の内周縁下部を切り欠いた下部貫通部とからなる雌部材とが、実行ユニットと遊技盤とに対となるように配設され、頭部を上部貫通部にくぐらせた状態から足部を下部貫通部に係合させることにより雄部材と雌部材とによる掛け止め状態を形成してなるので、実行ユニットと遊技盤とを簡素な仕組みで掛け止め状態とすることができると共に、掛け止め状態にある両者の取り付け及び取り外しを簡便に行わせることができる。これにより、掛け止め状態に関する作業を容易化させると共に、実行ユニットの装着全体に係る作業の効率化を図ることができる。
【００１９】
請求項４に係る本発明によると、実行ユニットは、遊技に係る演出表示を実行する図柄表示装置を収納してなるので、技術の進歩や規格の変更等によって大きさや重量が増すことが多く、かつ落下時の衝撃等に弱い液晶表示装置等の図柄表示装置を収納したユニットの着脱作業を、安定した効率のよい動作で行うことができるものとすることができる。これにより、図柄表示装置の大型化に起因して生じがちとなる、図柄表示装置の着脱作業時における滑落等の危険を回避させることができる。
【発明を実施するための最良の形態】
【００２０】
以下、本発明に係る遊技機の実施形態として、遊技場等に設置されるパチンコ機を図面に沿って説明する。なお、後述する実施の形態では、本発明の遊技機を所謂従来の１種のパチンコ機として述べるが、本発明はこれに限らず、他の種別のパチンコ機にも適用可能であることは勿論である。
【００２１】
図１は、本発明に係る実施の形態におけるパチンコ機１の外部構造を示す正面図である。本パチンコ機１は、同図に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２２】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が、前扉７の遊技盤保持枠（図示せず）に対して開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカー（図示せず）を有する放音装置１２がそれぞれ配設されている。そして、前扉７の上部における放音装置１２の間には、演出用照明装置８が配設されている。なお、筐体６及び前扉７等によって遊技機本体が構成されている。
【００２３】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、打ち出された遊技球Ｂａを遊技盤３側に案内するガイドレールを示している。本パチンコ機１には、遊技中に遊技領域３ａにて入賞することなく落下してアウト口（図示せず）に進入した遊技球Ｂａをパチンコ機１の背面側に導くアウト球通路（図示せず）が設けられている。
【００２４】
そして、前扉７における下部中央には皿ユニット１６が設けられており、皿ユニット１６における右上部には、賞球及び貸球を含む遊技球Ｂａが供給される球供給口１７が設けられ、皿ユニット１６における右上部壁面には、球貸ボタン１９ａ及びプリペイドカード返却ボタン１９ｂが設けられている。皿ユニット１６の中央左部には、該皿ユニット１６上の遊技球Ｂａを発射装置付近から皿ユニット下部の球排出口（図示せず）を通して下方に排出するための第１球抜きボタン２０ａが配設されており、皿ユニット１６の中央下部には、皿ユニット１６上の遊技球Ｂａを球供給口１７付近から上記球排出口を通して下方に排出するための第２球抜きボタン２０ｂが配設されている。なお、上述のように、本実施形態の前扉７には、ガラス枠１０、皿ユニット１６及びその周辺、不図示の遊技盤保持枠等が含まれている。
【００２５】
また、前扉７における皿ユニット１６の右方下部の前壁部４８には、発射装置（図示せず）を操作して遊技球Ｂａを遊技盤３に向けて打ち出すための発射ハンドル２が設けられている。更に、皿ユニット１６の下部左方には、灰皿２１と遊技者参加ボタン２２とが配設されている。この遊技者参加ボタン２２の左右には、選択ボタン１８ａ，１８ｂがそれぞれ配設されている。遊技者参加ボタン２２は、遊技機本体に備えられ、遊技者を遊技に参加させ得る操作部材を構成している。
【００２６】
また、遊技領域３ａの中央部分には、遊技球ステージＳを有するセンター飾り２３が配設されている。センター飾り２３の左右下方には、それぞれ大当たり抽選に寄与しない一般の入賞が行われる入賞口２５，２６が配設されており、センター飾り２３の直下方には、始動チャッカー２７と、アタッカー５とが順次配設されている。
【００２７】
始動チャッカー２７は、大当たり抽選の契機となり得る入賞が行われる始動入賞口を構成しており、開放位置と閉止位置とに開閉動作するように始動チャッカー開閉ソレノイド７０（図５参照）によって作動させられる。始動チャッカー２７の直上方には、所謂命釘としての一対の障害釘３０が打ち込まれている。
【００２８】
アタッカー５は、大当たり抽選で大当たりが決定した際に所定ラウンド数（例えば１５回）だけ繰り返し開閉動作する開閉扉７３を有した大入賞口を構成している。すなわち、アタッカー５は、大当たり発生時に開放状態とされ、遊技盤３の遊技領域３ａに打ち出されて転動落下する遊技球Ｂａを入賞させるものであり、大当たり発生中、例えば、１回の開放で１０個の入球を完了した時点で閉鎖状態とされ、当該開閉動作を１５回繰り返すように構成される。なお、これらの入球数並びに開閉動作の回数は、１０個や１５回に限定されることはなく、必要に応じて適宜設定され得るものである。
【００２９】
遊技領域３ａにおいて、センター飾り２３の四方には風車３１が配設されている。また、遊技領域３ａにおける入賞口２５，２６及び始動チャッカー２７等の周囲には、遊技球ステージＳから零れた遊技球Ｂａや、発射されてから遊技球ステージＳに関与せずに落下してくる遊技球Ｂａを適宜散らし、或いは入球に導くようにするための障害釘３３を含む多数の障害釘が打ち込まれている。
【００３０】
上記センター飾り２３は、遊技盤３側に固定された図柄表示装置３５を露出する開口３６を中央部に、ワープ導入口３７を左上部に、該ワープ導入口３７に連通する放出口４を左下部に、遊技球ステージＳを開口３６の下側に、球放出口４９を該ステージＳの中央下部にそれぞれ有している。ここで、上記図柄表示装置３５は、図柄表示ユニット７２（図２にて後述）内に図柄表示装置３５の表示に関する回路基板とともに収納されており、この図柄表示ユニット７２を介して遊技盤３の背面側に設けられた取り付け台７６（図２にて後述）に取り付けられている。
【００３１】
そして、前述したワープ導入口３７の対向位置には、一対の障害釘３９が打ち込まれている。ワープ導入口３７の周囲や上方側にも、遊技球を適宜散らし、或いは入球に導くようにするための多数の障害釘（図示せず）が打ち込まれている。このような本パチンコ機１では、遊技領域３ａに打ち出された遊技球Ｂａを始動チャッカー２７等に、遊技球ステージＳを介して入球させ又は該ステージＳを介さず直接入球させ得るように遊技が進められる。
【００３２】
なお、上記「ワープ導入」という語句は、遊技領域３ａに打ち出された遊技球Ｂａを、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球Ｂａを始動チャッカー２７方向に導く役割を担っている。
【００３３】
次に、本発明の特徴となる図柄表示ユニット７２と取り付け台７６ａ，７６ｂとについて、図２及び図３を参照して説明する。なお、図２は、図柄表示ユニット７２及び取り付け台７６ａ，７６ｂについて示す概略図であり、（ａ）は図柄表示ユニット７２の概略正面図、（ｂ）は取り付け台７６ａ，７６ｂの概略背面図、（ｃ）は両者を合わせて示す概略斜視図である。また、図３は、突起部７８及び支持穴７４を示すものであり、（ａ）は突起部７８を示す概略斜視図、（ｂ）は支持穴７４を示す概略正面図である。
【００３４】
すなわち、合成樹脂製の図柄表示ユニット７２は、図２（ａ）に示すように、左右幅方向に長さを有する直方体の略々トレー形状を呈している。この図柄表示ユニット７２には、図柄表示装置３５と、該図柄表示装置３５の表示に係る不図示の回路基板やそれらを結ぶハーネス等が収納される。図柄表示ユニット７２の左右幅方向両端には、図２（ａ）の紙面左方向にブラケット部７３ａが、右方向にブラケット部７３ｂが、それぞれ一体的に形成されている。
【００３５】
そして、例えばブラケット部７３ｂには、図３（ａ）に示す円板状に突き出した頭部７９と該頭部７９の後方中心から細い同心状に垂設される円柱形状の足部８０を有した突起部（掛け止め手段）７８が前面側の上部に配設されている。この突起部７８の下方近傍とブラケット部７３ｂ下部とには、円形状のビス孔（装着手段、孔）７５が２箇所設けられている。また、ブラケット部７３ａには、ブラケット部７３ｂと同様に、突起部７８が前面側の上部に配設され、この突起部７８の下方近傍とブラケット部７３ａ下部とには円形状のビス孔７５が２箇所設けられている。
【００３６】
一方、遊技盤３の背面には、縦長で中空の直方体形状を呈し、堅固な鉄部材からなる取り付け台（装着手段）７６ａ，７６ｂが、遊技盤３の左右幅方向に略々同じ高さで配設されている。この取り付け台７６ａ，７６ｂには、それぞれ板厚を貫通してなる鍵穴形状を呈した支持穴（掛け止め手段）７４が上部に設けられ、これら支持穴７４の下方には円形状のビス孔（装着手段、孔）７７が縦に並ぶようにそれぞれ２箇所ずつ設けられている。
【００３７】
この支持穴７４は、上記したように鍵穴形状を呈しており、上側の円形部分が通過穴部（上部貫通部）８１とされ、該通過穴部８１の真下から下側に延びる縦長の穴部が掛止穴部（下部貫通部）８２として形成されている。より詳細には、上記通過穴部８１の略々円形部分の面積は、突起部７８における頭部７９の円形部分の面積より広く形成され、掛止穴部８２の面積は、突起部７８における頭部７９の円形部分の面積より狭く且つ足部８０の円柱断面の面積より広く形成されている。
【００３８】
突起部７８及び支持穴７４が上記した形状を呈することにより、図柄表示ユニット７２は、その突起部７８を取り付け台７６ａ，７６ｂの支持穴７４に挿入させることができるものとなる。そして、この図柄表示ユニット７２における左右の突起部７８が、取り付け台７６ａ，７６ｂの通過穴部８１に挿入され（図３（ｂ）のＢ１の位置）、そのまま掛止穴部８２に掛け止めされた際には（図３（ｂ）Ｂ２の位置）、図柄表示ユニット７２のすべてのビス孔７５と取り付け台７６ａ，７６ｂのすべてのビス孔７７とは略々重なり合った状態となる。なお、このような突起部７８と支持穴７４との対によって、本発明の特徴をなす掛け止め手段が構成される。
【００３９】
ついで、本パチンコ機１の背面構造について図４を参照して説明する。同図は、本パチンコ機１の背面構造を示す背面図である。
【００４０】
図４に示すように、パチンコ機１の前扉７の背面における上部左方には、賞球タンク４３が取り付けられており、この賞球タンク（実行ユニット）４３の下方に、制御用のサブ基板（実行ユニット）３８、制御用の主基板（実行ユニット）４０、及び払出し制御基板（実行ユニット）５１がこの順に配置されている。また、前扉背面における上部右方には、外部端子板５２が取り付けられており、この外部端子板５２の下方に、整列待機通路４５、賞球装置（実行ユニット）４６、賞球排出通路４７、電源ユニット（実行ユニット）４１、及び発射装置（図示せず）用の発射制御基板５３がこの順に配置されている。パチンコ機１の前扉背面における左側部には、施錠装置１３が配設されている。
【００４１】
次に、本実施形態におけるパチンコ機１の制御系を図５に沿って説明する。なお、同図は本パチンコ機の制御系を示すブロック図である。
【００４２】
本制御系は、遊技制御装置５４と、該遊技制御装置５４に電気的に接続された、始動チャッカー開閉ソレノイド７０、アタッカー開閉ソレノイド７１、放音装置１２、演出用照明装置８，１１、図柄表示装置３５、及び遊技者参加ボタン２２を備えている。
【００４３】
遊技制御装置５４は、図４に示した主制御基板４０やサブ制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基板３８は、主に画像表示、効果音等の演出、効果光等の表示制御を行うように構成されている。
【００４４】
遊技制御装置５４は、入賞判定手段５５、入賞信号出力手段５６、抽選手段５７、遊技制御手段５９、保留手段６０、作動制御手段６１、作動判定手段６２、作動決定手段６３、演出制御手段６４、及び表示制御手段６５を備えている。
【００４５】
入賞判定手段５５は、発射ハンドル２の操作に応じて遊技領域３ａに打ち出された遊技球が始動チャッカー２７、入賞口２５，２６、アタッカー５等の何れかに入賞したとき、当該入賞があった旨を判定する。
【００４６】
入賞信号出力手段５６は、入賞判定手段５５によって入賞が判定されたとき、対応する始動チャッカー２７、入賞口２５，２６、アタッカー５等に入賞した旨の入賞信号を出力する。
【００４７】
抽選手段５７は、遊技者に有利な特殊状態となる確率変動当たり及び該特殊状態とならない通常当たりのうちの何れかに当選させる大当たり抽選を行うものである。すなわち、抽選手段５７は、入賞信号出力手段５６からの始動チャッカー２７に対応する入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。そして、抽選手段５７は、大当たり抽選で大当たりに当選した際、確率変動当たりと通常当たりのいずれに当選したかを示す信号（抽選結果信号）を出力する。
【００４８】
遊技制御手段５９は、放音装置１２、及び演出用照明装置８，１１に放音、発光の演出をさせる契機となる指令を演出制御手段６４に送る。更に、遊技制御手段５９は、予め設定された演出データや、抽選手段５７での抽選結果等に応じて、図柄表示装置３５に表示すべき演出内容に関する信号を表示制御手段６５に送る。
【００４９】
保留手段６０は、抽選手段５７から出力された変動パターン信号を入力し、変動パターンを、始動チャッカー２７への入賞の都度に行われた抽選の結果となる保留球として順次記憶する。当該記憶状況は、大当たり抽選保留表示装置（図示せず）に、最大４個の保留球として点灯表示される。保留手段６０は、例えば保留球数Ｈが０＜Ｈ＜５であるか否かを常時判定し、保留球数Ｈが４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００５０】
そして保留手段６０は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段６０は、保留球の消費に応じて保留球数ＨがＨ＜４となった場合、抽選手段５７で行われる始動チャッカー２７への入賞に応答した大当たり抽選の結果を保留球として記憶し、保留球数を１インクリメントする。
【００５１】
作動制御手段６１は、作動決定手段６３による作動開始決定の旨の信号に基づき、始動チャッカー開閉ソレノイド７０に駆動信号を送って該ソレノイド７０を作動させ、始動チャッカー２７を開放又は閉塞動作させる。また、作動制御手段６１は、アタッカー開閉ソレノイド７１に駆動信号を送って該ソレノイド７１を作動させ、抽選手段５７での抽選による大当たり発生時にアタッカー５を開放して所定数入賞が終了する（又は所定時間が経過する）毎に閉塞する動作を所定回数（所定ラウンド）だけ繰り返すように制御する。
【００５２】
作動判定手段６２は、始動チャッカー開閉ソレノイド７０及びアタッカー開閉ソレノイド７１を作動させるための条件を満たすか否かを判定する。つまり、始動チャッカー開閉ソレノイド７０にあって、始動チャッカー２７の開閉の「条件を満たす」時とは、抽選手段５７の大当たり抽選とは別途行われる抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時における全ての入賞を完了した場合である。
【００５３】
作動決定手段６３は、作動判定手段６２からの判定信号を受けて、始動チャッカー開閉ソレノイド７０、アタッカー開閉ソレノイド７１の作動開始をそれぞれに決定する。
【００５４】
演出制御手段６４は、遊技制御手段５９からの指令に応答して、放音装置１２を放音駆動し、演出用照明装置８，１１を発光させ、遊技者の聴覚や視覚に訴える演出を行う。
【００５５】
表示制御手段６５は、遊技制御手段５９からの信号に従って、図柄表示装置３５を駆動し、大当たり抽選結果を中心とした内容等の演出を、遊技者の視覚に訴えるように演出表示する。
【００５６】
始動チャッカー開閉ソレノイド７０は、作動制御手段６１から送信された駆動信号に応答してプランジャ（図示せず）を進退動作させて、始動チャッカー２７を開閉動作させる。アタッカー開閉ソレノイド７１は、作動制御手段６１から送信された駆動信号に応答してプランジャ（図示せず）を進退動作させて、開閉扉７３を開放状態と閉鎖状態とに切り替え、アタッカー５における開閉動作を行う。
【００５７】
放音装置１２は、演出制御手段６４の制御に従ってスピーカー（図示せず）を駆動させ、演出に応じた効果音を発する。演出用照明装置８，１１は、演出制御手段６４の制御に従ってその内蔵する電飾ランプ（図示せず）を発光駆動（点灯、点滅）させ、演出に応じた照明を行う。図柄表示装置３５は、表示制御手段６５の制御に従って作動し、演出データの内容や、抽選手段５７での抽選結果等に応じた演出表示を行う。
【００５８】
遊技者参加ボタン２２は、操作が有効となっている状態で押圧操作されたとき、該操作に応じた信号を遊技制御装置５４に送る。
【００５９】
次に、本パチンコ機１による作用について、図６のフローチャートを併せて参照しつつ説明する。図６は、パチンコ機１の作用を説明するためのフローチャートである。
【００６０】
すなわち、本パチンコ機１に対面して着座した遊技者が発射ハンドル２を握り、適宜の角度に回動操作すると（ステップＳ１）、不図示の発射装置の作動で遊技球が所定の時間間隔で遊技領域３ａに向けて連続的に発射される。すると、遊技領域３ａに打ち出されて転動落下する多数の遊技球は、始動チャッカー２７や入賞口２５，２６に適時入賞し、或いは、これらに関与せずに転動落下して、遊技領域３ａ最下部のアウト口（図示せず）から遊技盤３背面側に排出される。
【００６１】
つまり、遊技領域３ａに向けて打ち出された多数の遊技球Ｂａは、その一部がワープ導入口３７から導入されて放出口４から遊技球ステージＳ上に放出され、その一部が球放出口４９から放出されて始動チャッカー２７に向け落下し、この始動チャッカー２７に高確率で入賞する。この際、障害釘３０への当接状況によっては、始動チャッカー２７に入賞できないこともある。一方、球放出口４９からではなく遊技球ステージＳから直接に落下する遊技球Ｂａは、始動チャッカー２７と異なる方向に向かう。この際、当該遊技球Ｂａは、落下方向が、始動チャッカー２７上の一対の障害釘３０の間を通過して入球し得る方向と異なっても、障害釘３０の左右に打ち込まれた所謂ジャンプ釘（図示せず）や、このジャンプ釘から左右方向に配列された道釘（図示せず）で弾き返されることで、障害釘３０に絡んでその間を落下して始動チャッカー２７に入球することもある。
【００６２】
ところで、上述したように始動チャッカー２７や入賞口２５，２６の何れかに遊技球Ｂａが入賞した場合、入賞判定手段５５が当該入賞を判定し、且つ入賞信号出力手段５６が入賞信号を出力する（ステップＳ２）。この際、保留手段６０は、保留している変動パターンに係る信号を、遊技制御手段５９を介して表示制御手段６５に順次送信し、変動パターン信号の送信に応じて保留球数を１デクリメントする。また保留手段６０は、当該保留球の消費に応じて、抽選手段５７で行われる始動チャッカー２７への入賞に応じた大当たり抽選の結果を保留球として記憶し、保留球数を１インクリメントする。
【００６３】
ステップＳ３において、大当たり抽選で当選した場合、抽選手段５７が当たりフラグをオンすると、抽選手段５７が、演出用メモリに格納された演出乱数値に基づく抽選で、大当たりの種別、つまり確変当たり又は通常当たりを決定する。そして、ステップＳ４において、図柄表示装置３５に表示されるべき図柄がセットされる。
【００６４】
以上のように、遊技制御手段５９が、図柄表示装置３５に表示すべき演出内容に関する信号を、表示制御手段６５に送信することに基づき、表示制御手段６５は、図柄表示装置３５を適時駆動し、大当たり抽選結果に関する内容等を、遊技者の視覚に訴えるように演出表示する（ステップＳ５）。
【００６５】
そして、図柄表示装置３５の画面上に表れた抽選結果が大当たり決定である場合、作動制御手段６１は、作動決定手段６３の作動開始決定の旨の信号に基づき、所定のタイミングでアタッカー開閉ソレノイド７１に駆動信号を送り、当該ソレノイド７１を作動させて開閉扉７３を開閉動作させてアタッカー５を開放状態にし、所定数入賞が終了する（又は所定時間が経過する）毎に閉塞状態にする動作を所定回数（所定ラウンド）だけ繰り返させる。これにより、アタッカー５に入賞した遊技球に対応する多量の遊技球が球供給口１７から皿ユニット１６に払い出されることとなる（ステップＳ６）。
【００６６】
ところで、このようなパチンコ機１の製造や保守・メンテナンス等を行う場合においては、図柄表示ユニット７２が遊技盤３背面から着脱される作業が多く発生することとなる。ここで、この着脱過程における、図柄表示ユニット７２と遊技盤３との掛け止め状態について図７を参照して説明する。図７は、図柄表示ユニット７２と遊技盤３とが掛け止め状態となる際の動きの流れを図３（ｂ）のＡ−Ａ線に沿って断面した状態にて示した概略断面図である。
【００６７】
すなわち、本パチンコ機１の製造あるいは保守・メンテナンス時に図柄表示ユニット７２を遊技盤３背面に装着させる際には、作業者は、該図柄表示ユニット７２を持ち上げ、図２（ｃ）の矢印Ｘに示すような向きから遊技盤３背面の取り付け台７６ａ，７６ｂに近づける。
【００６８】
そして、ブラケット部７３ａ，７３ｂに設けられた各突起部７８の頭部７９を、取り付け台７６ａ，７６ｂの上部に設けられた２つの支持穴７４の通過穴部８１からくぐらせ（図３（ｂ）の位置Ｂ１及び図７の矢印Ｃ１参照）、突起部７８の足部８０が支持穴７４の掛止穴部８２と係合させるように図柄表示ユニット７２の位置を下げる（図３（ｂ）の位置Ｂ２及び図７の矢印Ｃ２参照）。この状態で、作業者が図柄表示ユニット７２から手を離すと、突起部７８の頭部７９が支持穴７４の掛止穴部８２に引っ掛かり（図３（ｂ）の位置Ｂ２参照）、図柄表示ユニット７２は、そのまま遊技盤３の背面に掛け止めされた状態が維持されるものとなる。
【００６９】
さらに、上述した掛け止め状態にあっては、図柄表示ユニット７２に設けられた４箇所のビス孔７５の位置と、取り付け台７６ａ，７６ｂに設けられた４箇所のビス孔７７の位置とが、前後方向に略々対向した状態で保持される。そして、作業者が、これらのビス孔７５，７７に対して図柄表示ユニット７２の背面側からビス止めすることにより、図柄表示ユニット７２は取り付け台７６ａ，７６ｂ、つまり遊技盤３の背面側に装着されることとなる。このように、突起部７８と支持穴７４とによって図柄表示ユニット７２と遊技盤３とが掛け止めされた状態（図３（ｂ）の位置Ｂ２）となることによって、作業者は、図柄表示ユニット７２の位置がずれないように手で押さえながら装着作業を行わずに済むようになり、その作業性は格段に向上するものとなる。
【００７０】
また、保守・メンテナンス時にあって、図柄表示ユニット７２を遊技盤３背面から取り外す際には、作業者は、まず図柄表示ユニット７２を装着しているビス（不図示）の取り外しを行う。この４箇所分のビスがすべて取り外されると、図柄表示ユニット７２はビス止めによる装着時の支持力を失い、突起部７８と支持穴７４とによって掛け止めされた状態となる。そして、作業者は、該図柄表示ユニット７２を図７の矢印Ｃ２及びＣ１と逆の向きに移動させることで図柄表示ユニット７２を取り付け台７６ａ，７６ｂ、つまり遊技盤３の背面側から取り外すことができるものとなる。これにより、作業者は、一般のパチンコ機の場合のように、図柄表示ユニットを落下させないようにしっかりと手で押さえながら取り外し作業をせずに済むため、作業性の一層の向上が図られるものとなる。
【００７１】
なお、以上説明した本実施の形態においては、図柄表示ユニット７２に突起部７８を、取り付け台７６ａ，７６ｂに支持穴７４を、それぞれ配設するとして説明したが、逆に、図柄表示ユニット７２に支持穴７４を、取り付け台７６ａ，７６ｂに突起部７８を、それぞれ配設させてよいのは勿論である。このように配設させた場合においても本実施の形態で説明したのと同様の効果が奏されるものとなる。
【００７２】
また、以上説明した本実施の形態においては、突起部７８と支持穴７４との対からなる掛け止め手段を図柄表示ユニット７２と遊技盤３との間に２箇所配設させるとして説明したが、上記掛け止め手段は１箇所以上配設されれば効果を奏するものであり、配設箇所の数が限定されるものではない。
【００７３】
また、以上説明した本実施の形態においては、図柄表示装置３５を収納する図柄表示ユニット７２を掛け止め状態に支持するものとして説明したが、本パチンコ機１の遊技に係る電気的な処理を行うような他の、サブ基板３８、主基板４０、賞球タンク４３、賞球装置４６、払出し制御基板５１、発射制御基板５３、及びこれらを収納させた各種ユニット類や電源ユニット４１等を対象としてもよく、それらを着脱させる際に、同様の構成にて掛け止め状態に支持させるようにできるのは勿論である。このような場合においては、パチンコ機１に、仮に、サブ基板３８、主基板４０、賞球タンク４３、賞球装置４６、払出し制御基板５１、発射制御基板５３等を収納させた各種ユニットや、電源ユニット４１等を、遊技盤３の背面、つまり上記した各種ユニットごとに対応する各取り付け台に、着脱自在に装着させるためのビス孔が備え付けられる。そして、さらに、上記した各種ユニットが着脱される際に、これら各種ユニットと取り付け台とを掛け止め状態に支持させる突起部７８と支持穴７４とを対となるように備え付ける。これにより、上記した各種ユニットが着脱される際に、該各種ユニットは一時的に遊技盤３の背面側で掛け止めされた状態に支持されるものとなる。したがって、作業者は、そのような各種ユニットを手で押さえる等して意識的に支持しながら着脱作業を行う必要がなくなり、両手を用いた、余裕のある安定した体勢にて作業することができるようになる。これにより、各種ユニットの着脱に要する作業時間の短縮化や、作業の効率化を図ることができるようになる。
【００７４】
以上説明したように、本実施の形態によれば、パチンコ機１が、図柄表示装置３５を収納する図柄表示ユニット７２と、該図柄表示ユニット７２を遊技盤３の背面、つまり取り付け台７６ａ，７６ｂに着脱自在に装着させるビス孔７５，７７とを備える。そして、さらにパチンコ機１には、図柄表示ユニット７２が着脱される際に図柄表示ユニット７２と取り付け台７６ａ，７６ｂとを掛け止め状態に支持させる突起部７８と支持穴７４とを備えさせる。これにより、図柄表示ユニット７２が着脱される際、該図柄表示ユニット７２は一時的に遊技盤３の背面側で掛け止めされた状態に支持されるものとなる。したがって、作業者は、図柄表示ユニット７２を意識的に支持しながら（例えば手で押さえる等）着脱作業を行う必要がなくなり、両手を用いた、余裕のある安定した体勢にて作業することができるようになる。これにより、図柄表示ユニット７２の着脱に要する作業時間の短縮化や、作業の効率化を図ることができるようになる。
【００７５】
また、上記した突起部７８及び支持穴７４によって、図柄表示ユニット７２を取り付け台７６ａ，７６ｂの背面に掛け止め状態とすることができるので、図柄表示装置３５が大型化したものであっても、着脱作業を安定した効率のよい動作で行うことができるようになる。さらに、大型化したことに起因して生じがちとなる、図柄表示装置３５の着脱作業時における滑落等の危険をも回避させることができるようになる。
【００７６】
また、パチンコ機１は、図柄表示ユニット７２と取り付け台７６ａ，７６ｂとがネジの止め外しによって着脱自在に装着される。図柄表示ユニット７２の着脱過程において、突起部７８と支持穴７４とによって図柄表示ユニット７２が掛け止めされた状態となった際には、上記したネジの各ネジ孔７５に対応する各ネジ孔７７はその前後方向において略々対向した位置となる。これにより、作業者は、図柄表示ユニット７２の着脱に際して、図柄表示ユニット７２を意識的に支持しながら作業する必要がなくなるだけでなく、装着時における図柄表示ユニット７２と取り付け台７６ａ，７６ｂとの位置合せを行う必要もなくなる。また、取り付け台７６ａ，７６ｂからの取り外し時にあっては、図柄表示ユニット７２は、ネジが外された位置と略々同じ位置で掛け止めされた状態に支持されるので、取り付け台７６ａ，７６ｂから外された直後に落下したりあるいは落下しそうになったりするような危険な状態となることが抑制される。これにより、作業者は、図柄表示ユニット７２の着脱を一層安定した状態にて行うことができるようになり、着脱作業を安全かつ効率的に進めることができるものとなる。
【００７７】
また、円板形状に突き出した頭部７９と該頭部７９から細く垂設された足部８０とからなる突起部７８が、図柄表示ユニット７２に配設され、頭部７９より広い通過穴部８１と該通過穴部８１の内周縁下部を切り欠いた掛止穴部８２とからなる支持穴７４が、遊技盤３背面の取り付け台７６ａ，７６ｂに配設されている。これにより、突起部７８と支持穴７４とは互いに対をなすこととなる。そして、頭部７９を通過穴部８１にくぐらせた状態から足部８０を掛止穴部８２に係合させることにより、掛け止め手段をなす突起部７８と支持穴７４とが掛け止め状態を形成する。これにより、図柄表示ユニット７２を遊技盤３背面に簡素な仕組みで掛け止め状態とすることができると共に、掛け止め状態にある両者の取り付け及び取り外しを簡便に行わせることができるようになる。したがって、図柄表示ユニット７２と取り付け台７６ａ，７６ｂとの掛け止め状態に関する作業を容易化させ、図柄表示ユニット７２の装着に係る全体的な作業の効率化を図ることができるものとなる。
【００７８】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００７９】
【図１】本発明に係る実施形態におけるパチンコ機の外部構造を示す正面図である。
【図２】図柄表示ユニット及び取り付け台について示す概略図であり、（ａ）は図柄表示ユニットの概略正面図、（ｂ）は取り付け台の概略背面図、（ｃ）は両者を合わせて示す概略斜視図である。
【図３】突起部及び支持穴を示すものであり、（ａ）は突起部を示す概略斜視図、（ｂ）は支持穴を示す概略正面図である。
【図４】本パチンコ機の背面構造を示す背面図である。
【図５】本パチンコ機の制御系を示すブロック図である。
【図６】本パチンコ機の作用を説明するためのフローチャートである。
【図７】図柄表示ユニットと遊技盤とが掛け止め状態となる際の動きの流れを図３（ｂ）のＡ−Ａ線に沿って断面した状態にて示した概略断面図である。
【符号の説明】
【００８０】
１：遊技機（パチンコ機）
３：遊技盤
３ａ：遊技領域
３５：図柄表示装置
３８：実行ユニット（サブ基板）
４０：実行ユニット（主基板）
４１：実行ユニット（電源ユニット）
４３：実行ユニット（賞球タンク）
４６：実行ユニット（賞球装置）
５１：実行ユニット（払出し制御基板）
５３：実行ユニット（発射制御基板）
７２：実行ユニット（図柄表示ユニット）
７４：掛け止め手段、雌部材（支持穴）
７５：装着手段、孔（ビス孔）
７６ａ：装着手段（取り付け台）
７６ｂ：装着手段（取り付け台）
７７：装着手段、孔（ビス孔）
７８：掛け止め手段、雄部材（突起部）
７９：頭部
８０：足部
８１：上部貫通部（通過穴部）
８２：下部貫通部（掛止穴部）
Ｂａ：遊技球
【図１】
2007195797.tif 000003
【図２】
2007195797.tif 000004
【図３】
2007195797.tif 000005
【図４】
2007195797.tif 000006
【図５】
2007195797.tif 000007
【図６】
2007195797.tif 000008
【図７】
2007195797.tif 000009